(57)【要約】【課題】本願は、着脱が容易なスナップバンドおよび電子機器を開示する。【解決手段】本願で開示するスナップバンドは、所定部位を取り巻くＣ字形状のバンド部材と、バンド部材の周長方向に沿って設けられる２リンクであり、所定部位の一部を取り巻くようにカーブする第１リンクと、第１リンクに対して所定範囲内で回動可能に連結される第２リンクと、を有する２リンクと、を備える。【選択図】図７
2017086200.tif 000002
【特許請求の範囲】
【請求項１】
所定部位を取り巻くＣ字形状のバンド部材と、
前記バンド部材の周長方向に沿って設けられる２リンクであり、前記所定部位の一部を取り巻くようにカーブする第１リンクと、前記第１リンクに対して所定範囲内で回動可能に連結される第２リンクと、を有する２リンクと、を備える
スナップバンド。
【請求項２】
前記バンド部材は、前記所定部位を取り巻き可能な周長を有する
請求項１に記載のスナップバンド。
【請求項３】
前記第１リンクは、前記第２リンクに連結されない側の端部が前記バンド部材の一端部に連結されており、
前記第２リンクは、前記第１リンクに連結されない側の端部が、前記バンド部材の各部のうち前記所定部位を間に挟んで前記一端部の反対側の部分に連結されている、
請求項１または２に記載のスナップバンド。
【請求項４】
前記第１リンクは、前記所定部位の半分を取り巻くようにカーブしている、
請求項１から３の何れか一項に記載のスナップバンド。
【請求項５】
前記２リンクは、前記第２リンクを前記第１リンクに対して前記スナップバンドの外側へ付勢するバネを更に有する、
請求項１から４の何れか一項に記載のスナップバンド。
【請求項６】
前記第１リンクには、前記第１リンクと前記バンド部材との連結部分において、前記バンド部材が前記第１リンクよりも前記スナップバンドの中心部側に傾くのを規制する突起が設けられている、
請求項１から５の何れか一項に記載のスナップバンド。
【請求項７】
前記バンド部材は、周長方向に沿って波打つウェーブ状の板によって形成される、
請求項１から６の何れか一項に記載のスナップバンド。
【請求項８】
請求項１から７の何れか一項に記載のスナップバンドと、
前記スナップバンドに備わっている前記バンド部材に配置される電子部品と、を備える
電子機器。
【発明の詳細な説明】
【技術分野】
【０００１】
本願は、スナップバンドおよび電子機器に関する。
【背景技術】
【０００２】
近年、携行可能な各種の機器類が開発されている。例えば、電子機器の分野においては、コンピュータプログラムを実行して各種の演算処理を行う演算装置を組み込んだノート型ＰＣ（パーソナルコンピュータ）、携帯電話、或いはスマートフォンといった携行可能な各種の装置が開発されている。また、最近では、身体や衣類に装着可能なウェアラブルデバイスも開発されている（例えば、特許文献１−３を参照）。
【先行技術文献】
【特許文献】
【０００３】
【特許文献１】特開２０１０−２２０９４８号公報
【特許文献２】特開２０１５−１４２７２７号公報
【特許文献３】特表２０１１−５１６１７４号公報
【発明の概要】
【発明が解決しようとする課題】
【０００４】
ウェアラブルデバイスとしては、例えば、腕時計のようなベルト型やブレスレット型のウェアラブルデバイスが提案されている。ベルト型のウェアラブルデバイスは、バックルにベルトを通す構造を有するため、装着が面倒である。また、ブレスレット型のウェアラブルデバイスは、例えば、バネのような弾性の素材をＣ字形状にした部材を用いたものの場合、当該部材を指で押し広げながら装着しなければならないので、片手で装着することが容易でない。
【０００５】
そこで、本願は、着脱が容易なスナップバンドおよび電子機器を開示する。
【課題を解決するための手段】
【０００６】
本願は、次のようなスナップバンドを開示する。すなわち、本願は、所定部位を取り巻くＣ字形状のバンド部材と、バンド部材の周長方向に沿って設けられる２リンクであり、所定部位の一部を取り巻くようにカーブする第１リンクと、第１リンクに対して所定範囲内で回動可能に連結される第２リンクと、を有する２リンクと、を備えるスナップバンドを開示する。
【０００７】
また、本願は、上記のスナップバンドと、スナップバンドに備わっているバンド部材に配置される電子部品と、を備える電子機器を開示する。
【発明の効果】
【０００８】
上記のスナップバンドおよび電子機器であれば、着脱が容易である。
【図面の簡単な説明】
【０００９】
【図１】図１は、実施形態に係るスナップバンドを示した図である。
【図２】図２は、実施形態に係るスナップバンドを分解した図である。
【図３】図３は、実施形態に係るスナップバンドを指などで押し広げた状態と閉じた状態とを示した図である。
【図４】図４は、スナップバンドを押し広げたり閉じたりした際の２リンクの動きを示した動作説明図である。
【図５】図５は、第１比較例に係るバンドを示した図である。
【図６】図６は、第２比較例に係るバンドを示した図である。
【図７】図７は、実施形態に係るスナップバンドの使用方法を示した図である。
【図８】図８は、突起の拡大図である。
【図９】図９は、スナップバンドの変形例を示した図である。
【図１０】図１０は、実施形態に係るスナップバンドの適用例を示した図である。
【発明を実施するための形態】
【００１０】
以下、実施形態について説明する。以下に示す実施形態は、単なる例示であり、本開示の技術的範囲を以下の態様に限定するものではない。
【００１１】
図１は、実施形態に係るスナップバンドを示した図である。本実施形態に係るスナップバンド１は、図１に示すように、帯状の形態を有するバンド部材２と、バンド部材の周長方向に沿って設けられる２組の２リンク３とを備える。バンド部材２は、人の手首（本願でいう「所定部位」の一例である）を取り巻くＣ字形状の部材である。バンド部材２は、手首を取り巻き可能な周長を有するため、手首に巻き付けることができる。バンド部材２は、樹脂で形成された帯状の部材であり、ある程度の剛性を有している。バンド部材２は、指で押し広げることができるよう、周長方向に沿って波打つウェーブ状の板で変形可能に出来ている。よって、バンド部材２は、図１において符号Ａで示す部分を押し広げることにより開くことができる。なお、スナップバンド１は、人の手首に装着される形態に限定されるものではない。スナップバンド１は、例えば、腕や足、腹、首といった人の身体の各種部位に装着されるものであってもよいし、人以外の動物の身体の各種部位に装着されるものであってもよい。
【００１２】
バンド部材２の両側に各々設けられる２組の２リンク３は、第１リンク４と第２リンク５を各々有している。第１リンク４は、手首を半周程度取り巻くようにカーブする形状となっている。第１リンク４と第２リンク５は、雄ネジ６Ｍを介して回動可能に連結されている。また、第１リンク４は、第２リンク５に連結されない側の端部がバンド部材２の一端部に雄ネジ６Ｔを介して回動可能に連結されている。また、第２リンク５は、第１リンク４に連結されない側の端部が、バンド部材２の各部のうち手首を間に挟んで雄ネジ６Ｔの反対側の部分に雄ネジ６Ｈを介して回動可能に連結されている。
【００１３】
雄ネジ６Ｔを介して連結される第１リンク４とバンド部材２との連結部分８Ｔでは、第１リンク４がバンド部材２に対して回転可能に連結されている。また、雄ネジ６Ｈを介して連結される第２リンク５とバンド部材２との連結部分８Ｈでは、第２リンク５がバンド部材２に対して回転可能に連結されている。一方、雄ネジ６Ｍを介して連結される第１リンク４と第２リンク５との連結部分８Ｍでは、第１リンク４と第２リンク５が相対的に回動すると、第１リンク４と第２リンク５が互いに接触する。よって、第１リンク４と第２リンク５との連結部分８Ｍでは、第１リンク４に対して第２リンク５の回動可能範囲が制限される。すなわち、第１リンク４と第２リンク５との連結部分８Ｍでは、相対的に回転可能な角度が所定範囲内に制限されている。
【００１４】
図２は、実施形態に係るスナップバンド１を分解した図である。バンド部材２には、図２に示すように、雄ネジ６Ｔが螺合されるネジ孔７Ｔがバンド部材２の一端部に設けられている。また、バンド部材２には、図２に示すように、雄ネジ６Ｈが螺合されるネジ孔７Ｈが、バンド部材２の各部のうち手首を間に挟んで雄ネジ６Ｔの反対側の部分に設けられている。また、雄ネジ６Ｔがあるバンド部材２の端部付近には、第１リンク４に形成されている突起９Ｔが接触する凹部９Ｕが設けられている。凹部９Ｕは、第１リンク４からバンド部材２側へ向かって突出する突起９Ｔが、バンド部材２の外周面側を取り囲むようにバンド部材２の内周面を窪ませた窪みである。よって、バンド部材２は、連結部分８Ｔに
おいて、第１リンク４よりもスナップバンド１の中心部側に傾こうとすれば、凹部９Ｕが突起９Ｔに接触して動きが規制される。
【００１５】
図３は、実施形態に係るスナップバンド１を指などで押し広げた状態と閉じた状態とを示した図である。閉じた状態のスナップバンド１を指で押し広げると、バンド部材２が押し広げられる。バンド部材２が押し広げられると、第２リンク５とバンド部材２との連結部分８Ｈがバンド部材２と共にバンド部材２の外周面側へ動く。一方、第１リンク４と第２リンク５との連結部分８Ｍは、第１リンク４が手首を半周程度取り巻くようにカーブする形状となっているため、第１リンク４によって動きが規制されている。このため、バンド部材２が押し広げられると、第２リンク５が雄ネジ６Ｍを中心に回動する。しかし、第１リンク４と第２リンク５との連結部分８Ｍでは、第１リンク４に対する第２リンク５の回動可能な範囲が制限されているため、第２リンク５の回動が適当なところで止まる。
【００１６】
図４は、スナップバンド１を押し広げたり閉じたりした際の２リンク３の動きを示した動作説明図である。バンド部材２は、ある程度の剛性を有するウェーブ状の変形可能な板で出来ているため、２リンク３との関係においては雄ネジ６Ｈと雄ネジ６Ｔとを引き寄せる引っ張りバネと同等の機能を発揮する。よって、図４では、バンド部材２を引っ張りバネで模した図を示している。図４に示す一点鎖線は、第１リンク４とバンド部材２との連結部分８Ｔと、第１リンク４と第２リンク５との連結部分８Ｍとを通過する直線状の仮想線である。バンド部材２が押し広げられると、第２リンク５とバンド部材２との連結部分８Ｈがバンド部材２と共にバンド部材２の外周面側へ動く。一方、手首を半周程度取り巻くようにカーブする第１リンク４の形状がバンド部材２の変形に追従できないため、第１リンク４と第２リンク５との連結部分８Ｍは、第１リンク４によって動きが制限されている。このため、バンド部材２が押し広げられると、第２リンク５が雄ネジ６Ｍを中心に回動する（図４（Ａ）から図４（Ｂ）へ状態遷移）。そして、バンド部材２がそのまま押し広げられると、第２リンク５とバンド部材２との連結部分８Ｈは、図４の一点鎖線を通過する（図４（Ｃ）の状態）。第２リンク５とバンド部材２との連結部分８Ｈが一点鎖線に位置する状態は、連結部分８Ｈが死点（「思案点」と呼ばれる場合もある）に位置する状態とも言えるため、第２リンク５とバンド部材２との連結部分８Ｈが図４の一点鎖線を通過すると、バンド部材２が第２リンク５に与える力によって第２リンク５に作用する回転力の方向が反転する。その結果、バンド部材２が押し広げられ始めてから、第２リンク５とバンド部材２との連結部分８Ｈが図４の一点鎖線を通過するまでの間は、第２リンク５をスナップバンド１の内周側へ回転させる方向に作用していた回転力の方向が、第２リンク５とバンド部材２との連結部分８Ｈが図４の一点鎖線を通過した後は、第２リンク５をスナップバンド１の外周側へ回転させる方向に反転する。そして、第２リンク５は、バンド部材２の力を受けてスナップバンド１の外周側へ回転するが、第１リンク４と第２リンク５との連結部分８Ｍにおける回動可能な範囲が制限されているため、第２リンク５の動きが止まる（図４（Ｄ）の状態）。この結果、バンド部材２は、押し広げられた状態が２リンク３によって保持される。なお、第１リンク４と第２リンク５との連結部分８Ｍに手首等が接触し、第２リンク５とバンド部材２との連結部分８Ｈが再び死点を通過すれば、押し広げられた状態を２リンク３で保っていたバンド部材２が元の形に自動的に戻り、スナップバンド１が閉じた状態になる。
【００１７】
ところで、第２リンク５の長さについて言及しなかったが、第２リンク５は、上述した図４（Ａ）から図４（Ｄ）までに示す一連の動きをスムーズに行うことができる適当な長さを有していることが好ましい。例えば、スナップバンド１が手首に装着されるものであれば、第２リンク５は、十数ミリメートル程度の長さが好適である。
【００１８】
また、第１リンク４に対する第２リンク５の回動可能な範囲（本願でいう「所定範囲」に相当する）とは、スナップバンド１を押し広げて連結部分８Ｈが死点を通過した後、ス
ナップバンド１を押し広げた状態のまま２リンク３がロック状態になってバンド部材２の開口部分（図１において符号Ａで示す部分）が再び閉じないように第２リンク５の回動が止まる範囲であり、例えば、第１リンク４や第２リンク５の長さ、バンド部材２の長さ、その他の各種の要素に応じて適宜決定される範囲である。
【００１９】
図５は、第１比較例に係るバンドを示した図である。また、図６は、第２比較例に係るバンドを示した図である。第１比較例に係るバンド１０１Ａは、指で押し広げることができるように周長方向に沿って波打つウェーブ状の板で形成されたＣ字形状のバンドである。また、第２比較例に係るバンド１０１Ｂは、指で押し広げることができるように弾性体の板で形成されたＣ字形状のバンドである。第１比較例に係るバンド１０１Ａや、第２比較例に係るバンド１０１Ｂを手首に装着する場合、上記実施形態の２リンク３に相当するものが備わっていないため、押し広がった状態が自律的に保持されない。よって、ユーザは、広がった状態を指で保持しながら手首に装着することになり、着脱が難しい。
【００２０】
図７は、実施形態に係るスナップバンド１の使用方法を示した図である。実施形態に係るスナップバンド１は、指で押し広げると、開いた状態が２リンク３によって保持される（図７（Ｂ）を参照）。よって、ユーザは、開いたままの状態で保持されているスナップバンド１に手首Ｔを片手で容易に通すことができる（図７（Ｃ）を参照）。そして、第１リンク４と第２リンク５との連結部分８Ｍが手首Ｔに押され、２リンク３による保持状態が解かれると、スナップバンド１は自動的に閉じて手首Ｔに装着された状態になる（図７（Ｄ）を参照）。
【００２１】
実施形態に係るスナップバンド１は、第１比較例に係るバンド１０１Ａや、第２比較例に係るバンド１０１Ｂのように開いた状態を手で保持しなくてよいため、第１比較例に係るバンド１０１Ａおよび第２比較例に係るバンド１０１Ｂよりも着脱が容易である。
【００２２】
なお、突起９Ｔの役割について補足する。図８は、突起９Ｔの拡大図である。突起９Ｔは、図８に示すように、第１リンク４からバンド部材２側へ向かって突出するように形成されている。そして、バンド部材２の凹部９Ｕは、突起９Ｔをバンド部材２の外周面側から取り囲むように形成されている。よって、バンド部材２は、連結部分８Ｔにおいて、第１リンク４よりもスナップバンド１の中心部側に傾くことができない。したがって、スナップバンド１が押し広げられている過程で突起９Ｔが凹部９Ｕに接触し、連結部分８Ｔにおけるバンド部材２の動きが規制されると、連結部分８Ｔにおいて動きが規制されたバンド部材２が板バネのような機能を奏し、連結部分８Ｈが死点を通過する方向へ作用する力（図４に示した矢印を参照）がバンド部材２から連結部分８へ与えられる。このため、スナップバンド１を押し広げた際、連結部分８Ｈが死点をスムーズに通過し、バンド部材２が２リンク３によって押し広げられた状態を簡単な操作で実現できる。ただし、突起９Ｔが無くてもスナップバンド１を押し広げた際に連結部分８Ｈが死点をスムーズに通過することができる場合、突起９Ｔはスナップバンド１から省略されてもよい。
【００２３】
なお、連結部分８Ｈが死点をスムーズに通過するための機構としては、上記の突起９Ｔの他、例えば、以下のような機構も考えられる。図９は、スナップバンド１の変形例を示した図である。上記実施形態のスナップバンド１は、例えば、第１リンク４と第２リンク５との連結部分８Ｍに、第２リンク５をスナップバンド１の外側へ付勢するバネ１０を設けてもよい。第２リンク５をスナップバンド１の外側へ付勢するバネ１０が連結部分８Ｍに設けられていれば、スナップバンド１が押し広げられている過程で、連結部分８Ｈが死点を通過する方向へ作用する力がバネ１０から第２リンク５へ与えられる。このため、スナップバンド１を押し広げた際、連結部分８Ｈが死点をスムーズに通過し、バンド部材２が２リンク３によって押し広げられた状態を簡単な操作で実現できる。
【００２４】
また、上記実施形態や変形例では、二組の２リンク３をバンド部材２の両側に設けたスナップバンド１を例示したが、本願で開示するスナップバンドは、このような形態に限定されない。２リンク３は、例えば、バンド部材２に周長方向に沿って設けられたスリットの中に配置されていてもよい。
【００２５】
また、上記実施形態や変形例では、周長方向に沿って波打つウェーブ状の板で出来たバンド部材２を例示したが、本願で開示するスナップバンドのバンド部材は、このような形態にされない。本願で開示するスナップバンドのバンド部材は、例えば、図６に示したような平らな帯状の弾性体であってもよいし、その他、Ｃ字形状であり且つ指の力で変形可能な各種の素材を適用可能である。
【００２６】
図１０は、上記実施形態に係るスナップバンド１の適用例を示した図である。上記実施形態や変形例のスナップバンド１は、例えば、表示部１１を有する電子部品１２と組み合わされて電子機器１３を構成してもよい。スナップバンド１に組み合わせる電子部品１２としては、病院内で患者に各種情報を表示する医療用電子装置、運動中のユーザに心拍や消費カロリー等の各種情報を表示するスポーツ用電子装置、無線通信でインターネット等から得た各種情報を表示する通信装置、その他各種の電子装置類を適用することができる。
【００２７】
なお、スナップバンド１は、開いた状態を２リンク３で保持することができるので、例えば、図１０に示されるように、表示部１１が見えやすい状態でテーブル等の平面に立てた状態にすることもできる。
【符号の説明】
【００２８】
１・・スナップバンド：２・・バンド部材：３・・２リンク：４・・第１リンク：５・・第２リンク：６Ｈ，６Ｍ，６Ｔ・・雄ネジ：７Ｈ，７Ｔ・・ネジ孔：８Ｈ，８Ｍ，８Ｔ・・連結部分：９Ｔ・・突起：９Ｕ・・凹部：１０・・バネ：１１・・表示部：１２・・電子部品：１３・・電子機器：１０１Ａ，１０１Ｂ・・バンド：Ｔ・・手首
【図１】
2017086200.tif 000003
【図２】
2017086200.tif 000004
【図３】
2017086200.tif 000005
【図４】
2017086200.tif 000006
【図５】
2017086200.tif 000007
【図６】
2017086200.tif 000008
【図７】
2017086200.tif 000009
【図８】
2017086200.tif 000010
【図９】
2017086200.tif 000011
【図１０】
2017086200.tif 000012